(57)【要約】【課題】充分な電流容量を持ち、通電不良になることがなく、磨耗することがないめっき装置における給電受台を提供する。【解決手段】ハンガーが下降したときにハンガーの受電部と接触し、ハンガーに給電するめっき装置における給電受台１であって、ハンガーの受電部に接触する面である給電板２に板状又は棒状の白金通電体４、４を突設した。この白金通電体４、４は複数突設したものとすることが好ましく、給電板２を上方に付勢するばね６、６を設けることができる。【選択図】図１
2006009060.tif 000002
【特許請求の範囲】
【請求項１】
ハンガーが下降したときにハンガーの受電部と接触し、ハンガーに給電するめっき装置における給電受台であって、ハンガーの受電部に接触する面に板状又は棒状の白金通電体を突設したことを特徴とするめっき装置における給電受台。
【請求項２】
白金通電体を複数突設したことを特徴とする請求項１に記載のめっき装置における給電受台。
【発明の詳細な説明】
【技術分野】
【０００１】
本発明は、めっき装置において、ワークを保持するハンガーに給電するための、めっき装置における給電受台に関するものである。
【背景技術】
【０００２】
めっき装置においては、ワークを保持させたハンガーを移送し、ワークを順次処理液に浸漬してめっき処理を行うようにしている。こうした処理工程の内、めっき処理工程ではハンガーに保持させたワークに給電する必要があり、ハンガーが下降したとき処理槽のフランジ上面に設置した給電受台にハンガーの受電部を自重により接触させ、給電するようにしている。ところで、ワークの形状によっては、めっき品質上の要求から補助陽極を配置する必要があり、補助陽極はワークとの適正な位置関係を確保するためにハンガーに保持させることになる。そうした場合、補助陽極にも給電する必要があり、ハンガーに補助陽極用の受電部を、処理槽側にこれと接触して給電する補助陽極用の給電受台をそれぞれ設けて給電していた。
【０００３】
従来、補助陽極用の給電受台はワーク用の給電受台の側方に設けられ、これにハンガーから張出して設けられた補助陽極用の受電部が接触するように構成されていた。ところが、ワーク用の給電受台及び補助陽極用の給電受台とワーク用の受電部及び補助陽極用の受電部の位置関係を常に適正に維持するのは困難であり、安定した接触を確保できないという問題があった。また、給電受台は処理槽のフランジ上面に設置されているためワークから滴下飛散するめっき液が付着することは避けられず、これらの給電受台、受電部はいずれも銅板で製作されているので、接触面に不導体である銅の酸化皮膜が形成されて電流が流れにくくなり、必要な電源電圧が上昇してやがて通電不良になるという問題があった。
【０００４】
このようなハンガーに保持され、あるいは備えられた、ワーク以外のものに対して給電する給電受台としては、特許文献１に示されるようなものが知られている。この特許文献１に示されているものは、ハンガーが下降したとき、ハンガーに設けた給電ピンと接触してハンガーに給電するための給電部の上面を、傾斜面としたもので、バレル回転用のモーターに給電するものである。特許文献１に示されるものは、給電部の上面を傾斜面としたので滴下しためっき液が速やかに外部に流出し、給電受台の内部に溜まることがなく、残渣として付着することがないという利点があり、また、下降してくるハンガーの給電ピンの先端が給電部の表面と接触する瞬間に傾斜面から反力を受け、僅かに傾斜面に沿ってスライドして給電部の表面をこするので、給電ピンの先端が当たる給電部の表面は常に美しい状態に保たれ、多少の残渣が付着していたとしても給電不良を招くことがない利点があるとされている。しかしながら、給電ピンによる給電では通電できる電流に限界があり、給電ピンが給電部をこすることから磨耗するという問題があった。
【特許文献１】特開平１０−３１０８９９号公報
【発明の開示】
【発明が解決しようとする課題】
【０００５】
本発明は上記の問題点を解決し、充分な電流容量を持ち、通電不良になることがなく、磨耗することがないめっき装置における給電受台を提供するためになされたものである。
【課題を解決するための手段】
【０００６】
上記の問題を解決するためになされた本発明は、ハンガーが下降したときにハンガーの受電部と接触し、ハンガーに給電するめっき装置における給電受台であって、ハンガーの受電部に接触する面に板状又は棒状の白金通電体を突設したことを特徴とするものである。この白金通電体は複数突設したものとすることが好ましい。
【発明の効果】
【０００７】
本発明のめっき装置における給電受台は、ハンガーの受電部に接触する面に板状又は棒状の白金通電体が突設してあるので、ハンガーの受電部との接触はこの白金通電体により行われることになる。白金通電体の表面には酸化膜が形成されることがなく、通電不良になることがない効果がある。また、ハンガーの受電部と給電受台との間の押圧力は白金通電体に集中的に作用し、大きい接触圧を得られるので確実な通電が行なわれる利点があり、ハンガーの受電部と給電受台とはこすられることがないので磨耗することがない利点がある。
【発明を実施するための最良の形態】
【０００８】
次に、本発明を実施するための最良の形態について、図を参照しながら具体的に説明する。
図１は本発明のめっき装置における給電受台１の正面図、図２はその側面図であって、給電板２と受台基板３とから構成してある。給電板２の上面には白金通電体４、４が突設してあり、下面には支持桿５、５が垂設してある。支持桿５、５は受台基板３の透孔に挿通して昇降動自在に支承させてあり、給電板２と受台基板３の間にばね６、６を取り付けて給電板２を上方に付勢するとともに、支持桿５、５の下端にストッパ７、７を取り付けて給電板２の上昇限位置を規制するようにしてある。
【０００９】
図３は給電板２の詳細を示す平面図、図４は図３のＡ−Ａ部における断面図であり、給電板２の上面には凹溝８、８が形成してあり、該凹溝８、８の内部に白金通電体４、４が圧入してある。図示した例では凹溝８を幅１ｍｍ、深さ１．０〜１．５ｍｍとし、これに１ｍｍ×２ｍｍの白金通電体４を０．５〜１．０ｍｍ突出するように圧入してある。凹溝８、８及び白金通電体４、４の数と長さは通電電流により適宜定めることができる。図において、９、９は支持桿５、５の取り付け孔、１０、１０は電線接続孔であり、電線接続孔１０、１０には図示しないめっき用電源装置の陽極側に接続した可撓性の電線が接続してある。
【００１０】
図５及び図６は前記のように構成した給電受台１をめっき槽１１に取り付けた状態を示しており、この場合給電受台１は補助陽極用の給電受台として使用されている。めっき槽１１のフランジ１２には取り付け台１３を介してワーク用給電受台１４が電気的に絶縁して取り付けてあり、該ワーク用給電受台１４には給電受台１の受台基板３が取り付け金具１５により電気的に絶縁して取り付けてある。ハンガー１６は図示しない搬送手段により搬送され、ハンガー１６のワーク用受電部１７がワーク用給電受台１４上に下降してくるようにしてあり、フランジ１２にはハンガー１６を誘導する図示しないガイドを設けてワーク用受電部１７をワーク用給電受台１４上の定位置に誘導するようにしてある。
【００１１】
ハンガー１６には補助陽極用受電部１８が側方に張出して設けてあり、ハンガー１６が下降してワーク用受電部１７がワーク用給電受台１４に当接するときには補助陽極用受電部１８が給電受台１の給電板２に上方から当接し、さらにばね６、６の弾発力に抗して給電板２を押し下げるようにしてある。ハンガー１６には従来のハンガーと同様に搬送手段に係止されるフック１９が設けてあり、補助陽極に給電するための補助陽極バー２０が設けてある。補助陽極バー２０はハンガー１６から電気的に絶縁して固定してあり、前記補助陽極用受電部１８に接続してある。
【００１２】
このように構成された給電受台１の給電板２は、ハンガー１６が下降した状態では図７に示すように補助陽極用受電部１８に対してばね６、６の弾発力により押し付けられることになるが、給電板２の補助陽極用受電部１８に当接する上面に白金通電体４、４が突設してあるので、補助陽極用受電部１８との接触はこの白金通電体４、４によって行われることとなる。白金通電体４、４の表面には酸化膜が形成されることがなく、通電不良になることがない。補助陽極用受電部１８に対する給電板２の押圧力は白金通電体４、４に集中的に作用するので大きい接触圧を得られることになり、確実な通電が行なわれることになる。また、補助陽極用受電部１８と給電板２とは単に押し付けられるのであってこすられることがないので磨耗することはない。
【００１３】
以上の説明では、給電受台を補助陽極用としているが、めっき電流がそれほど大きくない場合にはワークへの給電に使用することも可能である。ワークを含めたハンガーの総重量が大きい場合には、ハンガーの重量を受けるハンガー受けを設けて給電受台には前記のように給電板をハンガーの受電部に押し付けるばねを設けることが好ましく、また、ハンガーの総重量が小さい場合には給電受台で直接ハンガーの重量を受ければよい。
【図面の簡単な説明】
【００１４】
【図１】本発明のめっき装置における給電受台の正面図である。
【図２】本発明のめっき装置における給電受台の側面図である。
【図３】給電板の平面図である。
【図４】図３のＡ−Ａ部における断面図である。
【図５】めっき槽に取り付けた状態を示す正面図である。
【図６】めっき槽に取り付けた状態を示す側面図である。
【図７】補助陽極用受電部に給電板が押し付けられた状態を示す正面図である。
【符号の説明】
【００１５】
１  給電受台
２  給電板
３  受台基板
４  白金通電体
５  支持桿
６  ばね
７  ストッパ
８  凹溝
９  取り付け孔
１０  電線接続孔
１１  めっき槽
１２  フランジ
１３  取り付け台
１４  ワーク用給電受台
１５  取り付け金具
１６  ハンガー
１７  ワーク用受電部
１８  補助陽極用受電部
１９  フック
２０  補助陽極バー
【図１】
2006009060.tif 000003
【図２】
2006009060.tif 000004
【図３】
2006009060.tif 000005
【図４】
2006009060.tif 000006
【図５】
2006009060.tif 000007
【図６】
2006009060.tif 000008
【図７】
2006009060.tif 000009